(57)【要約】【課題】ダイヤルとセンタキーの隙間からの液体、塵等の侵入に対して防塵防滴性能に優れ、異物等の侵入によってダイヤルの回転操作時の操作感触が悪化することのない入力装置を提供する。【解決手段】環状をなすゴム部材４３をセンタキー４１のフランジ４１ｃ上に搭載し、ゴム部材４３の内周面をセンタキー４１の外周に密着させてセンタキー４１にゴム部材４３を固定する。ゴム部材４３の周縁部にダイヤル３９の操作面３９ｂの裏面３９ｉと接触する環状突部４３ａを設ける。また、ゴム部材４３の環状突部４３ａ、筒状部４３ｂ及びダイヤルベース３６の段部３６ｃの各外周面とダイヤル３９の周壁部３９ｃの内周面との間にそれぞれ間隙ｄを設ける。【選択図】図２
2014089814.tif 000002
【特許請求の範囲】
【請求項１】
回転操作及び傾倒操作されるダイヤルと、そのダイヤルの中央開口に位置して押下操作されるセンタキーとを有する入力装置であって、
円周上に電極パターンが形成されたプリント配線板と、
前記円周の中央に位置して前記プリント配線板上に構成された中央スイッチと、
前記円周の回りに配列されて前記プリント配線板上に構成された複数の周辺スイッチと、
前記プリント配線板上に実装され、前記電極パターンと前記複数の周辺スイッチとの間の円周上に配置された円筒部と、その円筒部の上端内周に突設された軸受部と、前記円筒部の下端外周に突設された複数の固定部と、それら固定部に変位可能に支持されて前記各周辺スイッチ上に配置された押圧部とを有するベースと、
円筒状をなし、前記軸受部に軸支される軸部と、その軸部の上端外周に突設された第１フランジ部と、その第１フランジ部の外周に下方に向かって設けられた段部と、その段部の下端外周に突設された第２フランジ部と、その第２フランジ部の下面に環状に突設されて前記各押圧部上に位置する突条部とを有するダイヤルベースと、
前記軸部の下端に取り付けられて前記軸部を前記軸受部から抜け止めすると共に、前記電極パターンと摺動接触する摺動子を有する接点部材と、
前記中央開口を囲む環状をなす操作面と、その操作面の外周に設けられた周壁部と、その周壁部の下端外周に突設され、前記第２フランジ部の上面に密着固定される環状部とを有する前記ダイヤルと、
前記中央スイッチ上に位置し、前記中央開口から外部に臨む押圧面を有し、その押圧面と反対側に前記ダイヤルによって抜け止めされるフランジを有する前記センタキーと、
環状をなすゴム部材とよりなり、
前記ゴム部材はその内周側が前記フランジ上に搭載され、内周面が前記センタキーの外周に密着されて前記センタキーに固定され、
前記ゴム部材の周縁部に、前記ダイヤルの前記操作面の裏面に向かって突出し、前記裏面と摺動接触する環状突部と、前記環状突部と反対側に突出する筒状部が形成され、
前記環状突部、前記筒状部及び前記段部の各外周面と前記周壁部の内周面との間にそれぞれ間隙が設けられていることを特徴とする入力装置。
【請求項２】
請求項１記載の入力装置において、
前記筒状部の内側に位置して前記筒状部と近接対向する環状突出部が前記第１フランジ部の上面に形成されていることを特徴とする入力装置。
【請求項３】
請求項１又は２記載の入力装置において、
前記ゴム部材の上面に同心円状をなす複数の突起が形成されていることを特徴とする入力装置。
【請求項４】
請求項１又は２記載の入力装置において、
前記ゴム部材の上面に放射状をなす複数の突起が形成されていることを特徴とする入力装置。
【請求項５】
請求項１乃至４記載のいずれかの入力装置において、
前記環状突部の前記裏面と接触摺動する部分の硬度が前記ゴム部材の他の部分の硬度より大とされていることを特徴とする入力装置。
【請求項６】
請求項１乃至５記載のいずれかの入力装置において、
前記中央開口を囲む前記ダイヤルの内周面が内側に向かって拡径するテーパ面とされていることを特徴とする入力装置。
【請求項７】
請求項１乃至６記載のいずれかの入力装置において、
前記ベースの前記円筒部の回りに環状をなすベースゴム部材が配置され、
前記ベースゴム部材は前記ベースの前記複数の固定部の外側に位置して前記プリント配線板上に固定される外周部と、その外周部の内側に位置して前記第２フランジ部の下面周縁部と摺動接触する中間部と、その中間部の内側に位置する内周部とよりなり、
前記内周部には前記押圧部が位置することが可能な穴が複数形成されており、
前記中間部は断面逆Ｖ字状とされて弾性変形可能とされていることを特徴とする入力装置。
【請求項８】
請求項１乃至７記載のいずれかの入力装置において、
前記中央スイッチ及び周辺スイッチは、それぞれ前記プリント配線板に形成された固定接点と、その固定接点上に配置されたドーム状をなす可動接点とよりなり、
前記可動接点はカバーシートによって被われていることを特徴とする入力装置。
【発明の詳細な説明】
【技術分野】
【０００１】
この発明は回転操作及び傾倒操作されるダイヤルと、そのダイヤルの中央開口に位置して押下操作されるセンタキーとを有する複合操作型の入力装置に関する。
【背景技術】
【０００２】
この種の入力装置は、例えば携帯電話機やデジタルカメラ、携帯情報端末などの機器の入力部に使用されている。図１１はこのような入力装置の従来例として、特許文献１に多機能形電子部品として記載されている構成を示したものである。
【０００３】
この多機能形電子部品は、支持部材１１上に、フレキシブル回路基板１２の第２回路基板部１２ｂと、取付台１３と、フレキシブル回路基板１２の第１回路基板部１２ａと、第２防滴部材１４と、摺動子１５を取り付けた回転体１６と、クリックバネ１７と、ケース１８と、第１防滴部材１９と、スペーサ部材２１と、押釦つまみ２２と、回転つまみ２３とを設置して構成されている。
【０００４】
フレキシブル回路基板１２の第１回路基板部１２ａには摺動子１５が摺接する摺接パターンが形成されており、第２回路基板部１２ｂの上面の中央には中央スイッチ２４が構成され、中央スイッチ２４の周囲には９０°間隔に４つの押圧スイッチ２５が構成されている。中央スイッチ２４及び押圧スイッチ２５はいずれも第２回路基板部１２ｂに形成されたスイッチパターン上にドーム形状の可動接点板を設置して構成されている。第２回路基板部１２ｂの上面には第１防滴シート２６が貼り付けられている。
【０００５】
ケース１８の上部に設置される回転つまみ２３は軸支部２３ａ及び軸支部２３ａ中央に設けられた開口部２３ｂを有し、軸支部２３ａはケース１８に設けられた開口１８ａ内に回転自在に挿入されている。回転体１６はケース１８の下部に設置され、回転つまみ２３の軸支部２３ａに連結されている。ケース１８は取付台１３に載置されている。
【０００６】
押釦つまみ２２は回転つまみ２３の開口部２３ｂ内に上下動自在に設置されている。押釦つまみ２２の押圧部２２ａは取付台１３中央の筒状突出部１３ａに上下に貫通して設けられた開口部１３ｂに挿通され、中央スイッチ２４上に位置されている。取付台１３の下面の各押圧スイッチ２５と対向する位置には下方に向かって突出する押圧部１３ｃが形成されており、各押圧部１３ｃは押圧スイッチ２５上に位置されている。取付台１３は回転つまみ２３の揺動に伴い、回転つまみ２３と共に揺動し、これにより押圧スイッチ２５は押圧操作される。
【０００７】
第１防滴部材１９はゴムなどの弾性部材で構成されている。第１防滴部材１９は回転つまみ２３の開口部２３ｂに軸支部２３ａよりも開口部２３ｂ側に張出すように設けられた張出し部２３ｃの下面と、回転体１６の上面との間に挟持される筒状の防滴挟持部１９ａと、防滴挟持部１９ａの内側の空間を覆って押釦つまみ２２が載置される覆い板部１９ｂとを有している。覆い板部１９ｂは根本部１９ｃと側壁部１９ｄとつまみ取付部１９ｅを具備して構成されている。つまみ取付部１９ｅには押釦つまみ２２の押圧部２２ａが挿通され、第１防滴部材取付部２２ｂが嵌め込まれて位置する取付孔１９ｆが形成されている。
【０００８】
第２防滴部材１４はゴムなどの弾性部材で構成され、回転体１６を囲むケース１８の側壁部１８ｂの外周から張出すつば部１８ｃの下面と、このつば部１８ｃの下面に対向する取付台１３の上面との間に、ケース１８の側壁部１８ｂを取り囲んだ状態で挟持されている。
【０００９】
この図１１に示した多機能形電子部品では、第１防滴部材１９によって回転つまみ２３の開口部２３ｂと押釦つまみ２２の間の隙間から浸入する液体が回転体１６側に、即ち摺動子１５と摺接パターンからなる電気的機能部側に浸入するのを防止することができ、また第２防滴部材１４によってケース１８と取付台１３の間の隙間から回転体１６側（電気的機能部側）に液体が浸入するのを防止することができるものとなっている。なお、図１１中、２７は外装ケースを示し、その開口部２７ａ内に回転つまみ２３が挿入設置されている。
【先行技術文献】
【特許文献】
【００１０】
【特許文献１】特開２００９−２３８７０７号公報
【発明の概要】
【発明が解決しようとする課題】
【００１１】
上述したように、図１１に示した従来の入力装置（多機能形電子部品）では摺動子と摺接パターンからなる電気的機能部側に液体が浸入するのを防止することができるものとなっており、これにより入り込んだ液体によって電気的機能部の電気的出力に誤動作が生じるといったような問題を解消することができるものとなっている。
【００１２】
回転操作により摺動子が摺動接触する電極パターン（摺接パターン）は露出しており、防滴性を確保することはこの種の入力装置において安定した性能を維持する上で重要な要素である。
【００１３】
一方、このような防滴性能に加え、防塵性能も重要な要素であり、この種の入力装置においては防塵防滴性能の向上が求められている。防塵性が劣ると、侵入した異物によって電気的性能が損なわれたり、操作感触が損なわれるといった状況が発生する。特に、回転体と非回転体（固定体）との間に異物が入り込み、異物が介在すると、回転操作時の操作感触が大きく損なわれるといった状況が発生する。
【００１４】
この点、図１１に示した従来の構成では回転つまみ２３の回転操作時に第１防滴部材１９は回転つまみ２３と同時に回る構造となっており、この第１防滴部材１９のつまみ取付部１９ｅの上に押釦つまみ２２が位置する構造となっている。つまみ取付部１９ｅの上面と押釦つまみ２２の下面との対向面積は大きく、この対向部分に異物が入り込むと異物は中に留まりやすく、よって異物の介在によって回転つまみ２３の回転操作時の操作感触が悪化しやすい構造となっている。加えて、回転つまみ２３の張出し部２３ｃと押釦つまみ２２のつば部２２ｃとの間にも異物が入り込んで留まりやすく、この点でも回転操作時の操作感触が悪化しやすい構造となっている。
【００１５】
この発明の目的は上述した問題に鑑み、防塵防滴性能に優れ、安定かつ良好な操作感触が得られるようにした入力装置を提供することにある。
【課題を解決するための手段】
【００１６】
請求項１の発明によれば、回転操作及び傾倒操作されるダイヤルと、そのダイヤルの中央開口に位置して押下操作されるセンタキーとを有する入力装置は、円周上に電極パターンが形成されたプリント配線板と、前記円周の中央に位置してプリント配線板上に構成された中央スイッチと、前記円周の回りに配列されてプリント配線板上に構成された複数の周辺スイッチと、プリント配線板上に実装され、前記電極パターンと複数の周辺スイッチとの間の円周上に配置された円筒部と、その円筒部の上端内周に突設された軸受部と、円筒部の下端外周に突設された複数の固定部と、それら固定部に変位可能に支持されて各周辺スイッチ上に配置された押圧部とを有するベースと、円筒状をなし、前記軸受部に軸支される軸部と、その軸部の上端外周に突設された第１フランジ部と、その第１フランジ部の外周に下方に向かって設けられた段部と、その段部の下端外周に突設された第２フランジ部と、その第２フランジ部の下面に環状に突設されて前記各押圧部上に位置する突条部とを有するダイヤルベースと、前記軸部の下端に取り付けられて軸部を前記軸受部から抜け止めすると共に、前記電極パターンと摺動接触する摺動子を有する接点部材と、前記中央開口を囲む環状をなす操作面と、その操作面の外周に設けられた周壁部と、その周壁部の下端外周に突設され、前記第２フランジ部の上面に密着固定される環状部とを有するダイヤルと、中央スイッチ上に位置し、前記中央開口から外部に臨む押圧面を有し、その押圧面と反対側にダイヤルによって抜け止めされるフランジを有するセンタキーと、環状をなすゴム部材とよりなり、ゴム部材はその内周側が前記フランジ上に搭載され、内周面がセンタキーの外周に密着されてセンタキーに固定され、ゴム部材の周縁部に、ダイヤルの操作面の裏面に向かって突出し、裏面と摺動接触する環状突部と、前記環状突部と反対側に突出する筒状部が形成され、前記環状突部、前記筒状部及び前記段部の各外周面と前記周壁部の内周面との間にそれぞれ間隙が設けられているものとされる。
【００１７】
請求項２の発明では請求項１の発明において、前記筒状部の内側に位置して筒状部と近接対向する環状突出部が前記第１フランジ部の上面に形成されているものとされる。
【００１８】
請求項３の発明では請求項１又は２の発明において、ゴム部材の上面に同心円状をなす複数の突起が形成されているものとされる。
【００１９】
請求項４の発明では請求項１又は２の発明において、ゴム部材の上面に放射状をなす複数の突起が形成されているものとされる。
【００２０】
請求項５の発明では請求項１乃至４のいずれかの発明において、前記環状突部の前記裏面と接触摺動する部分の硬度がゴム部材の他の部分の硬度より大とされる。
【００２１】
請求項６の発明では請求項１乃至５のいずれかの発明において、前記中央開口を囲むダイヤルの内周面が内側に向かって拡径するテーパ面とされる。
【００２２】
請求項７の発明では請求項１乃至６のいずれかの発明において、ベースの円筒部の回りに環状をなすベースゴム部材が配置され、ベースゴム部材はベースの複数の固定部の外側に位置してプリント配線板上に固定される外周部と、その外周部の内側に位置して前記第２フランジ部の下面周縁部と摺動接触する中間部と、その中間部の内側に位置する内周部とよりなり、内周部には前記押圧部が位置することが可能な穴が複数形成され、中間部は断面逆Ｖ字状とされて弾性変形可能とされる。
【００２３】
請求項８の発明では請求項１乃至７のいずれかの発明において、中央スイッチ及び周辺スイッチは、それぞれプリント配線板に形成された固定接点と、その固定接点上に配置されたドーム状をなす可動接点とよりなり、可動接点はカバーシートによって被われているものとされる。
【発明の効果】
【００２４】
この発明によれば、環状をなすゴム部材をセンタキーの外周に密着固定し、ゴム部材の周縁部に設けた環状突部をダイヤルの操作面の裏面に摺動接触させる構造となっており、よってセンタキーとダイヤルの隙間から侵入する液体、塵等に対して良好な防塵防滴性能を得ることができる。また、液体や塵等が環状突部を通り越し、さらに侵入したとしてもゴム部材の環状突部、筒状部及びダイヤルベースの段部の各外周面とダイヤルの周壁部の内周面との間に設けられている間隙によって逃げルートが形成されているため、露出している電極パターン側への侵入を防止することができる。加えて、侵入した異物がゴム部材の環状突部とダイヤルの裏面との間に入り込んで留まるといった状況は生じにくいため、異物の介在によってダイヤルの回転操作時の操作感触が悪化するという問題も生じにくいものとなっている。
【図面の簡単な説明】
【００２５】
【図１】Ａはこの発明による入力装置の第１の実施例を示す平面図、Ｂはその側面図、Ｃはその斜視図。
【図２】図１ＡのＤ−Ｄ線拡大断面図。
【図３】図１ＡのＥ−Ｅ線拡大断面図。
【図４】図１に示した入力装置を分解して上方から見た斜視図（その１）。
【図５】図１に示した入力装置を分解して上方から見た斜視図（その２）。
【図６】図１に示した入力装置を分解して下方から見た斜視図（その１）。
【図７】図１に示した入力装置を分解して下方から見た斜視図（その２）。
【図８】この発明による入力装置の第２の実施例を示す断面図。
【図９】この発明による入力装置の第３の実施例を示す断面図。
【図１０】Ａは図８におけるゴム部材の斜視図。Ｂは図９におけるゴム部材の斜視図。
【図１１】入力装置の従来例を示す断面図。
【発明を実施するための形態】
【００２６】
この発明の実施形態を図面を参照して実施例により説明する。
【００２７】
図１はこの発明による入力装置の第１の実施例の外観を示したものであり、図２及び３はその断面構造を示したものである。また、図４〜７は各部に分解して示したものである。まず、図４〜７を参照して各部の構成について説明する。
【００２８】
この例では入力装置はプレート３１と、両面テープ３２と、所定のパターンが形成され、かつその上面にスイッチが構成されたフレキシブルプリント配線板３３と、ベース３４と、バネ３５と、ダイヤルベース３６と、接点部材３７と、両面テープ３８と、ダイヤル３９と、センタキー４１と、センタキーベース４２と、ゴム部材４３と、ベースゴム部材４４とによって構成されている。
【００２９】
プレート３１は方形状をなす金属板よりなり、その４隅にはこの入力装置の取り付け固定用の穴３１ａが形成され、さらに位置決め用の穴３１ｂ，３１ｃが対角線上に形成されている。また、各部の組み立てに使用する穴３１ｄ〜３１ｇが形成されている。
【００３０】
フレキシブルプリント配線板３３は円形部３３ａと、その円形部３３ａから導出されたケーブル部３３ｂとよりなる。円形部３３ａの中央には中央スイッチ５１が構成され、この中央スイッチ５１を囲む円周上には周辺スイッチ５２が構成されている。周辺スイッチ５２はこの例では９０°間隔で４つ配列されている。これら周辺スイッチ５２が配列されている円周と中央スイッチ５１との間にはロータリエンコーダ用の電極パターン５３が円周に沿って環状に配列形成されている。
【００３１】
中央スイッチ５１はこの例ではフレキシブルプリント配線板３３に形成された中央固定接点と、その上に配置されたドーム状をなす中央可動接点５１ａ（図２参照）とよりなり、この中央可動接点５１ａがクリック反転することによってＯＮ／ＯＦＦ動作するものとされる。同様に、周辺スイッチ５２はフレキシブルプリント配線板３３に形成された周辺固定接点と、その上に配置されたドーム状をなす周辺可動接点５２ａ（図２参照）とよりなり、周辺可動接点５２ａがクリック反転することによってＯＮ／ＯＦＦ動作するものとされる。なお、中央可動接点５１ａ上には円形のカバーシート５４が被され、一方４つの周辺可動接点５２ａ上にはリング状をなすカバーシート５５が被され、これらカバーシート５４，５５によって中央可動接点５１ａ及び周辺可動接点５２ａはそれぞれ所定の位置に位置決め固定されると共に、中央スイッチ５１及び周辺スイッチ５２が保護されている。
【００３２】
フレキシブルプリント配線板３３及びカバーシート５４，５５にはそれらを貫通してベースゴム部材４４取り付け用の４つの穴５６、ベース３４取り付け用の４つの穴５７、センタキーベース４１取り付け用の２つの穴５８及びセンタキーベース４１位置決め用の穴５９が形成されており、上述したプレート３１に形成されている穴３１ｄ〜３１ｇはこれら穴５６〜５９とそれぞれ位置、大きさが一致されている。
【００３３】
ベース３４は環状をなし、円筒部３４ａと、その円筒部３４ａの上端内周に突設された（突き出して設けられた）軸受部３４ｂと、円筒部３４ａの下端外周に９０°間隔で突設された４つの固定部３４ｃと、４つの固定部３４ｃの先端側をつなぐ枠部３４ｄと、４つの押圧部３４ｅとを有している。４つの押圧部３４ｅは周方向において４つの固定部３４ｃの各間に位置しており、各押圧部３４ｅは周方向において両側に位置する固定部３４ｃにそれぞれ弾性変形可能な支持梁３４ｆを介して支持され、変位可能とされている。
【００３４】
軸受部３４ｂの外周側には円弧状をなす長いスリット３４ｇが周方向に配列されて４つ形成されており、このようなスリット３４ｇを設けたことによって軸受部３４ｂの傾倒動作が容易とされている。なお、円筒部３４ａの上面にはボス３４ｈが周方向に配列されて４つ突出形成され、外周面には円弧状に切り欠かれた切り欠き３４ｉが周方向に配列されて４つ形成されている。また、４つの固定部３４ｃの下面にはそれぞれボス３４ｊが突出形成されている。
【００３５】
ダイヤルベース３６は円筒状をなす軸部３６ａと、軸部３６ａの上端外周に突設された第１フランジ部３６ｂと、第１フランジ部３６ｂの外周に下方に向かって延長されて設けられた段部３６ｃと、段部３６ｃの下端外周に突設された第２フランジ部３６ｄとを有する。第２フランジ部３６ｄの下面には突状部３６ｅが環状に突出形成されている。また、第１フランジ部３６ｂの上面には環状突出部３６ｆが突出形成されている。
【００３６】
軸部３６ａの外周面にはディテント機構を構成する凹凸３６ｇが周方向に配列されて形成されており、軸部３６ａの下端面にはボス３６ｈが３つ周方向に配列されて突出形成されている。また、第２フランジ部３６ｄにはダイヤル３９との組み立てに用いる穴３６ｉが４つ周方向に配列されて形成されている。
【００３７】
接点部材３７はリング形状とされ、その周方向３箇所には摺動子３７ａが切り起こされて形成されている。また、ダイヤルベース３６のボス３６ｈが挿通される（刺し通される）３つの穴３７ｂが形成されている。
【００３８】
ダイヤル３９は中央開口３９ａを囲む環状をなす操作面３９ｂと、その操作面３９ｂの外周に設けられた周壁部３９ｃと、周壁部３９ｃの下端外周に突設された環状部３９ｄとを有する。環状部３９ｄの外周にはこの例では周壁部３９ｃと対向して周壁部３９ｃとの間に溝を形成するように外周壁３９ｅが設けられている。環状部３９ｄの下面にはボス３９ｆが４つ周方向に配列されて突出形成されている。なお、中央開口３９ａを囲むダイヤル３９の内周面は内側に向かって拡径するテーパ面３９ｇとされており、操作面３９ｂの外周側には微小凹凸３９ｈが周方向に配列されて形成されている。
【００３９】
センタキー４１は一端が閉塞されて押圧面４１ａとされた円筒部４１ｂと、押圧面４１ａと反対側の円筒部４１ｂ他端に形成されたフランジ４１ｃと、押圧面４１ａの裏面中央に突出形成されたれ押圧突起４１ｃと、円筒部４１ｂの他端から押圧突起４１ｄと同一方向に突出形成された一対の係止片４１ｅとを有する。一対の係止片４１ｅの先端には互いに外向きに係止爪４１ｆが形成されている。押圧突起４１ｄは円柱状とされ、この例では角柱部４１ｇがこの押圧突起４１ｄに沿って一体化されて形成されている。角柱部４１ｇは押圧突起４１ｄの先端に至らない長さとされている。
【００４０】
センタキーベース４２は円筒状をなし、その閉塞された一端面４２ａの中央にはセンタキー４１の押圧突起４１ｄが挿通される円筒部４２ｂが上下に突出して形成されている。円筒部４２ｂは周の一部が切り欠かれた形状とされ、センタキー４１の角柱部４１ｇがこの切り欠き４２ｃに挿入、位置決めされるものとなっている。また、一端面４２ａにはセンタキー４１の一対の係止片４１ｅが通る一対の穴４２ｄが形成されている。一方、センタキーベース４２の下端側（他端側）には一対の切り欠き４２ｅが互いに対向する位置に形成されており、さらにセンタキーベース４２の下端面には位置決め用のボス４２ｆ及び一対の組み立て用のボス４２ｇが突出形成されている。
【００４１】
ゴム部材４３は環状をなし、その周縁部には上面側に突出する環状突部４３ａが形成され、さらに下面側（環状突部４３ａと反対側）に突出する筒状部４３ｂが形成されている。また、ゴム部材の径方向中間部の下面には突出部４３ｃが環状に形成されている。
【００４２】
ベースゴム部材４４は環状をなし、その外周部４４ａの下面にはボス４４ｂが４つ周方向に配列されて突出形成されている。外周部４４ａは厚さが大とされている。外周部４４ａの内側に位置する中間部４４ｃは厚さが小とされ、断面逆Ｖ字状（図２参照）とされて弾性変形可能とされている。中間部４４ｃの内側に位置する内周部４４ｄには穴４４ｅが周方向に配列されて４つ形成されている。中間部４４ｃは外周部４４ａ及び内周部４４ｄより上方に突出するように形成されている。なお、内周部４４ｄの内周端は上方に突出して厚さが大とされており、この内周面には円弧状に突出する突出部４４ｆが周方向に配列されて４つ形成されている。
【００４３】
ベース３４、ダイヤルベース３６、ダイヤル３９、センタキー４１及びセンタキーベース４２は樹脂製とされる。ゴム部材４３及びベースゴム部材４４は例えばシリコーンゴム製とされる。接点部材３７は例えばリン青銅板を加工することによって形成され、その表面にはＡｕメッキが施されている。プレート３１は例えばステンレス製とされる。
【００４４】
各部の組み立ては以下のようにして行われる。
【００４５】
中央スイッチ５１及び周辺スイッチ５２が形成されたフレキシブルプリント配線板３３の円形部３３ａを両面テープ３２によりプレート３１上に固定する。この時、プレート３１の各穴３１ｄ〜３１ｆと、フレキシブルプリント配線板３３側の各穴５６〜５９の位置が一致される。
【００４６】
ベース３４の円筒部３４ａの回りに上方からベースゴム部材４４を嵌め込んで円筒部３４ａの回りにベースゴム部材４４を取り付ける。ベースゴム部材４４の内周面に形成されている４つの突出部４４ｆはベース３４の円筒部３４ａの外周面に形成されている４つの切り欠き３４ｉに位置される。また、ベース３４の４つの押圧部３４ｅはベースゴム部材４４の内周部４４ｄに形成されている４つの穴４４ｅに位置される。
【００４７】
次に、バネ３５をベース３４に取り付ける。バネ３５はこの例では両端が延ばされて、その先端にフック形状をなす係止部３５ａが設けられたコイルバネとされており、２つの係止部３５ａがベース３４の円筒部３４ａの上面の隣接するボス３４ｈに係止されて取り付けられる。
【００４８】
次に、ベース３４の軸受部３４ｂに上方からダイヤルベース３６の軸部３６ａを挿入し、軸部３６ａの下端面に形成されている３つのボス３６ｈを接点部材３７の３つの穴３７ｂに挿入して接点部材３７を軸部３６ａの下端に取り付ける。そして、ボス３６ｈの先端を熱かしめする。ダイヤルベース３６の軸部３６ａは接点部材３７によって軸受部３４ｂから抜け止めされ、軸受部３４ｂに軸部３６ａが回転自在に支持される。また、バネ３５はダイヤルベース３６の凹凸３６ｇに弾性変形可能に接触される。
【００４９】
上記のようにして、ベースゴム部材４４、バネ３５、ダイヤルベース３６及び接点部材３７が取り付けられたベース３４をフレキシブルプリント配線板３３上に実装固定する。固定はベース３４の４つの固定部３４ｃのボス３４ｊを、それぞれ穴５７，３１ｅに順次、挿入し、ボス３４ｊの先端を熱かしめすることによって行われる。円筒部３４ａは電極パターン５３と、４つの周辺スイッチ５２との間の円周上に位置される。なお、ベースゴム部材４４の外周部４４ａの下面に形成されている４つのボス４４ｂは穴５６，３１ｄに順次、挿入されて位置決めされる。
【００５０】
次に、センタキーベース４２をフレキシブルプリント配線板３３上に取り付ける。この際、位置決め用のボス４２ｆが穴５９，３１ｇに挿入されて位置決めされ、組み立て用の一対のボス４２ｇが穴５８，３１ｆに挿入され、ボス４２ｇの先端が熱かしめされる。
【００５１】
次に、ゴム部材４３をセンタキー４１の円筒部４１ｂの回りに嵌め込み、フランジ４１ｃ上に搭載する。そして、このゴム部材４３が配置されたセンタキー４１をセンタキーベース４２に取り付ける。取り付けは、角柱部４１ｇを備えた押圧突起４１ｄをセンタキーベース４２の切り欠き４２ｃを有する円筒部４２ｂに挿入し、かつ一対の係止片４１ｅを穴４２ｄに挿入して押し込むことによって行われ、係止片４１ｅの先端の係止爪４１ｆがセンタキーベース４２の切り欠き４２ｅに位置して係止される（係り合って止まる）ことによって抜け止めされる。
【００５２】
次に、ダイヤル３９をダイヤルベース３６に取り付ける。ダイヤル３９の取り付けは、ダイヤル３９の環状部３９ｄの下面をダイヤルベース３６の第２フランジ部３６ｄの上面に両面テープ３８で固定することによって行われ、この際、環状部３９ｄ下面のボス３９ｆが第２フランジ部３６ｄの穴３６ｉに挿入されて位置される。ダイヤル３９はこのようにしてダイヤルベース３６に固定一体化され、ダイヤルベース３６及び接点部材３７はダイヤル３９と一体に回転するものとなる。以上により組み立てが完了する。センタキー４１はフランジ４１ｃがダイヤル３９によって抜け止めされて、その押圧面４１ａがダイヤル３９の中央開口３９ａに位置され、外部に臨む状態となる。
【００５３】
各周辺スイッチ５２の周辺可動接点５２ａ上には図２に示したようにベース３４の押圧部３４ｅが位置し、押圧部３４ｅ上にはダイヤルベース３６の突条部３６ｅが位置する。一方、中央スイッチ５１の中央可動接点５１ａ上にはセンタキー４１の押圧突起４１ｄが位置する。接点部材３７の３つの摺動子３７ａは、その先端がフレキシブルプリント配線板３３の電極パターン５３と接触され、これら摺動子３７ａと電極パターン５３とでロータリエンコーダが構成される。
【００５４】
ゴム部材４３はセンタキー４１のフランジ４１ｃ上に搭載されてダイヤル３９の操作面３９ｂの裏面側に位置し、その環状突部４３ａの先端が操作面３９ｂの裏面３９ｉに軽く押し当てられて接触される。ゴム部材４３の環状突部４３ａ、筒状部４３ｂ及びダイヤルベース３６の段部３６ｃの各外周面とダイヤル３９の周壁部３９ｃの内周面との間にはそれぞれ間隙ｄが設けられている。また、ダイヤルベース３６の第１フランジ部３６ｂの上面に設けられている環状突出部３６ｆはゴム部材４３の筒状部４３ｂの内側に位置して筒状部４３ｂと近接対向される。
【００５５】
ベースゴム部材４４の外周部４４ａはベース３４の４つの固定部３４ｃの先端側をつなぐ枠部３４ｄの外側に位置してフレキシブルプリント配線板３３上に搭載され、断面逆Ｖ字状をなす中間部４４ｃの上にダイヤルベース３６の第２フランジ部３６ｄが位置される。中間部４４ｃは第２フランジ部に軽く押し当てられて接触される。
【００５６】
上記のような構成とされた入力装置ではダイヤル３９が回転操作されると、摺動子３７ａが電極パターン５３上を移動し（接触摺動し）、この移動を電気的に検出することによってダイヤル３９の回転が検出される。なお、この際、ダイヤルベース３６の凹凸３６ｇと係合するバネ３５によってディテント機構が構成されているため、回転操作に伴い、操作感触が得られるものとなっている。
【００５７】
センタキー４１が押下操作されると、その押圧突起４１ｄによって中央スイッチ５１の中央可動接点５１ａが押圧操作されて中央スイッチ５１がＯＮとなる。押圧が解除されると、中央可動接点５１ａの復元力によってセンタキー４１は元の位置に復帰し、中央スイッチ５１はＯＦＦとなる。
【００５８】
一方、ダイヤル３９を押し、傾倒操作することにより、ダイヤルベース３６の第２フランジ部３６ｄの突条部３６ｅ及びベース３４の押圧部３４ｅを介して傾倒側の周辺スイッチ５２の周辺可動接点５２ａが押圧操作されて周辺スイッチ５２がＯＮとなる。この際、ベース３４の軸受部３４ｂは傾倒操作に伴い、たわみ、またベースゴム部材４４の中間部４４ｃは傾倒操作に伴い、弾性変形する。
【００５９】
ダイヤル３９への押圧力を解除すると、周辺可動接点５２ａ、ベース３４の軸受部３４ｂ及びベースゴム部材４４の中間部４４ｃの復元力によって押圧部３４ｅ、ダイヤルベース３６及びダイヤル３９は元の位置に復帰し、周辺スイッチ５２はＯＦＦとなる。
【００６０】
次に、この入力装置の防塵防滴性能について説明する。
【００６１】
ダイヤル３９とセンタキー４１の隙間からの液体の侵入に対してはゴム部材４３が防滴性能を発揮する。ゴム部材４３はセンタキー４１に密着固定され、環状突部４３ａがダイヤル３９の裏面３９ｉに押し当てられているため、液体の侵入を防ぐことができる。
【００６２】
なお、環状突部４３ａをダイヤル３９の裏面３９ｉに強く押し当てると、ダイヤル３９の回転操作時の摺動摩擦力が大きくなって回転操作性が悪くなるため、強く押し当てることはできず、またセンタキー４１の押下操作時にはダイヤル３９の裏面３９ｉと環状突部４３ａとの間には隙間ができてしまう。
【００６３】
よって、これらの点から液体が環状突部４３ａを通り越してさらに侵入してしまう可能性があるが、この例では侵入した液体はゴム部材４３の環状突部４３ａ、筒状部４３ｂ及びダイヤルベース３６の段部３６ｃの各外周面と、ダイヤル３９の周壁部３９ｃの内周面との間の間隙ｄに流れる構造となっている。また、ダイヤルベース３６の第１フランジ部３６ｃの上面には環状突出部３６ｆがゴム部材４３の筒状部４３ｂの内側に位置するように形成されている。つまり、この例では露出している電極パターン５３側に液体が侵入しないように間隙ｄによって逃げルートが確保され、さらに環状突出部３６ｆによって侵入が阻止される構造となっている。
【００６４】
ダイヤル３９とセンタキー４１の隙間から侵入する塵や異物（微粒子）等に対しても同様に防塵性能を得ることができる。加えて、この例ではダイヤル３９の裏面３９ｉと摺動接触するのはゴム部材４３の環状突部４３ａの先端であって、異物が入り込んだとしてもこの部分に異物が留まるといった状況は生じにくく、またダイヤル３９の中央開口３９ａを囲む内周面は内側に向かって拡径するテーパ面３９ｇとされているため、この部分にも異物が留まるといったことは生じにくく、よって異物の介在によってダイヤル３９の回転操作時の操作感触が悪化するといった問題は生じにくいものとなっている。
【００６５】
一方、ベースゴム部材４４は外装ケースとダイヤル３９の隙間からの液体、塵等の侵入に対して防塵防滴性能を発揮するものとなっている。この入力装置は図２に示したように一般に外装ケース６１の開口部６１ａにダイヤル３９が位置して露出されるものとなっている。外装ケース６１とダイヤル３９の隙間から例えば液体が侵入したとしても、ベースゴム部材４４の中間部４４ｃがダイヤルベース３６の第２フランジ部３６ｄの下面に押し当てられているため、液体の侵入を防ぐことができる。
【００６６】
なお、この部分においてもゴム部材４３の環状突部４３ａと同様、中間部４４ｃを強くダイヤルベース３６に押し当てると、摺動摩擦力によりダイヤル３９の回転操作性が悪くなるため、強く押し当てることはできず、よって液体がこの部分を通り越してさらに侵入する可能性があるが、ベース３４の円筒部３４ａによって電極パターン５３側への侵入は防止される。塵や異物等の侵入に対しても同様に防塵性能を得ることができる。
【００６７】
ベースゴム部材４４の外周部４４ａはベース３４の外側に位置しており、例えば外装ケース６１の内面側に図２に示したように環状突出部６１ｂを設けてその先端をベースゴム部材４４の外周部４４ａに密着させるようにすれば、この入力装置が取り付けられる機器内への液体、塵等の侵入も確実に防止することができる。
【００６８】
なお、ダイヤル３９の周壁部３９ｃと外周壁３９ｅとの間に形成された溝には、図２では外装ケース６１の開口部６１ａを囲む内周面に内面側に向かって突出形成された突部６１ｃが位置されるものとなっている。
【００６９】
図８及び図９はこの発明による入力装置の第２及び第３の実施例を示したものであり、これら実施例ではセンタキー４１に取り付けられてダイヤル３９の内側に配置されるゴム部材の形状を変更したものとなっている。図１０Ａ，Ｂはそれぞれ図８におけるゴム部材４３’、図９におけるゴム部材４３’’の形状を示したものである。
【００７０】
ゴム部材４３’は前述したゴム部材４３の上面に同心円状をなす複数の突起４３ｄを形成したものであり、例えば異物が侵入した際に、異物を突起４３ｄで捉え、内部への侵入を極力抑えることができるものとなっている。
【００７１】
ゴム部材４３’’は前述したゴム部材４３の上面に放射状をなす複数の突起４３ｅを形成したものであり、このような突起４３ｅを設けても、例えば異物が侵入した際に、異物を捉える効果を期待でき、特にダイヤル３９の回転操作時に効果を発揮するものとなる。
【００７２】
ゴム部材４３，４３’，４３’’はシリコーンゴム等により形成されるが、ダイヤル３９との摺動性を向上させるべく、２色成形等により環状突部４３ａの先端部を硬度の高いゴムによって構成するようにしてもよい。また、摺動性を向上させるべく、環状突部４３ａの先端部にコーティングを施すようにしてもよい。なお、ベースゴム部材４４の断面逆Ｖ字状をなす中間部４４ｃにもダイヤルベース３６との摺動性を向上させるべく、同様の手法を適用してもよい。
【符号の説明】
【００７３】
１１  支持部材                        １２  フレキシブル回路基板
１２ａ  第１回路基板部                １２ｂ  第２回路基板部
１３  取付台                          １３ａ  筒状突出部
１３ｂ  開口部                        １３ｃ  押圧部
１４  第２防滴部材                    １５  摺動子
１６  回転体                          １７  クリックバネ
１８  ケース                          １８ａ  開口
１８ｂ  側壁部                        １８ｃ  つば部
１９  第１防滴部材                    １９ａ  防滴挟持部
１９ｂ  覆い板部                      １９ｃ  根本部
１９ｄ  側壁部                        １９ｅ  つまみ取付部
１９ｆ  取付孔                        ２１  スペーサ部材
２２  押釦つまみ                      ２２ａ  押圧部
２２ｂ  第１防滴部材取付部            ２２ｃ  つば部
２３  回転つまみ                      ２３ａ  軸支部
２３ｂ  開口部                        ２３ｃ  張出し部
２４  中央スイッチ                    ２５  押圧スイッチ
２６  第１防滴シート                  ２７  外装ケース
２７ａ  開口部                        ３１  プレート
３１ａ〜３１ｇ  穴                    ３２  両面テープ
３３  フレキシブルプリント配線板      ３３ａ  円形部
３３ｂ  ケーブル部                    ３４  ベース
３４ａ  円筒部                        ３４ｂ  軸受部
３４ｃ  固定部                        ３４ｄ  枠部
３４ｅ  押圧部                        ３４ｆ  支持梁
３４ｇ  スリット                      ３４ｈ  ボス
３４ｉ  切り欠き                      ３４ｊ  ボス
３５  バネ                            ３５ａ  係止部
３６  ダイヤルベース                  ３６ａ  軸部
３６ｂ  第１フランジ部                ３６ｃ  段部
３６ｄ  第２フランジ部                ３６ｅ  突条部
３６ｆ  環状突出部                    ３６ｇ  凹凸
３６ｈ  ボス                          ３６ｉ  穴
３７  接点部材                        ３７ａ  摺動子
３７ｂ  穴                            ３８  両面テープ
３９  ダイヤル                        ３９ａ  中央開口
３９ｂ  操作面                        ３９ｃ  周壁部
３９ｄ  環状部                        ３９ｅ  外周壁
３９ｆ  ボス                          ３９ｇ  テーパ面
３９ｈ  微小凹凸                      ３９ｉ  裏面
４１  センタキー                      ４１ａ  押圧面
４１ｂ  円筒部                        ４１ｃ  フランジ
４１ｄ  押圧突起                      ４１ｅ  係止片
４１ｆ  係止爪                        ４１ｇ  角柱部
４２  センタキーベース                ４２ａ  一端面
４２ｂ  円筒部                        ４２ｃ  切り欠き
４２ｄ  穴                            ４１ｅ  切り欠き
４２ｆ，４２ｇ  ボス                  ４３，４３’，４３’’  ゴム部材
４３ａ  環状突部                      ４３ｂ  筒状部
４３ｃ  突出部                        ４３ｄ，４３ｅ  突起
４４  ベースゴム部材                  ４４ａ  外周部
４４ｂ  ボス                          ４４ｃ  中間部
４４ｄ  内周部                        ４４ｅ  穴
４４ｆ  突出部                        ５１  中央スイッチ
５１ａ  中央可動接点                  ５２  周辺スイッチ
５２ａ  周辺可動接点                  ５３  電極パターン
５４，５５  カバーシート              ５６〜５９  穴
６１  外装ケース                      ６１ａ  開口部
６１ｂ  環状突出部                    ６１ｃ  突部
【図１】
2014089814.tif 000003
【図２】
2014089814.tif 000004
【図３】
2014089814.tif 000005
【図４】
2014089814.tif 000006
【図５】
2014089814.tif 000007
【図６】
2014089814.tif 000008
【図７】
2014089814.tif 000009
【図８】
2014089814.tif 000010
【図９】
2014089814.tif 000011
【図１０】
2014089814.tif 000012
【図１１】
2014089814.tif 000013